(57)【要約】【課題】住所の地理的位置との関係において住民や世帯の情報を容易に把握可能とする。【解決手段】住民情報提供サーバ１０は、地図データベースサーバ７に登録された相互に異なる複数種別の地図の内の、クライアント端末１２のユーザから指定された種別の地図を読み出し、読み出した地図上の住民データベースサーバ５から読み出した各世帯の住所に対応する座標に世帯アイコンを配置した上で、クライアント端末１２に表示する。また、ユーザがクライアント端末１２に表示した地図上で世帯アイコンを指定したならば、住民情報提供サーバ１０は、指定された世帯アイコンの世帯の情報を、住民情報提供サーバ１０を介して、住民票データベース２や世帯データベース３などから読み出し、クライアント端末１２に表示する。【選択図】図８
2004062248.tif 000002
【特許請求の範囲】
【請求項１】
行政体において住民または世帯に関する情報の取得を支援する行政業務支援システムであって、
前記行政体の管轄する地理的範囲内の地図を表す地図データを格納した地図データベースと、
前記住民または世帯の、少なくとも住所を含む属性情報を格納した住民データベースと、
前記行政体の管轄する地理的範囲内の住所と当該住所が割り当てられている地理的位置との対応を示す住所地理的位置情報を格納した住所データベースと、
前記地図データベースに格納された地図データが表す地図画像を生成する地図画像生成手段と、
前記住民データベースと前記住所データベースとを参照して求まる、各住民または世帯の住所に対応する地理的位置に相当する前記地図画像上の位置に、所定のマークを描画した、マーク表示地図画像を生成するマーク表示地図画像生成手段と、
前記マーク表示地図画像を表示する表示手段とを有することを特徴とする行政業務支援システム。
【請求項２】
請求項１記載の行政業務支援システムであって、
前記地図データベースは、前記行政体の管轄する地理的範囲内の地図を表す、相互に異なる複数の種別の地図データを格納し、
当該行政業務支援システムは、ユーザから、前記地図データベースに格納された地図データの複数の種別のうちから、少なくとも一つの種別の選択を受け付ける地図選択受付手段を有し、
前記地図画像生成手段は、前記地図データベースに格納された、前記地図選択受付手段が受け付けた種別の地図データが表す地図画像を生成することを特徴とする行政業務支援システム。
【請求項３】
請求項１または２記載の行政業務支援システムであって、
前記表示手段が表示した前記マーク表示地図画像上で前記マークの指定を受け付けるマーク指定受付手段と、
前記マーク指定受付手段が受け付けたマークに対応する前記住民または世帯の属性情報を前記住民データベースより検索し、検索した属性情報を表示する住民情報提示手段とを有することを特徴とする行政業務支援システム。
【請求項４】
請求項１、２または３記載の行政業務支援システムであって、
ユーザより、前記属性情報の検索条件の指定を受け付ける検索条件指定受付手段を有し、
前記マーク表示地図画像生成手段は、前記住民データベースを参照して求まる、前記検索条件指定受付手段が指定を受け付けた検索条件に合致する属性情報を持つ住民または世帯についてのみ、当該各住民または世帯の住所に対応する地理的位置に相当する前記地図画像上の位置に、所定のマークを描画した、マーク表示地図画像を生成することを特徴とする行政業務支援システム。
【請求項５】
請求項１、２、３または４記載の行政業務支援システムであって、
前記表示手段が表示した前記マーク表示地図画像上の領域の指定を受け付ける領域指定受付手段と、
前記領域指定受付手段が指定を受け付けた地図画像上の領域に相当する地理的領域を算出し、前記住所データベースと前記住民データベースを参照し、算出した地理的領域内の地理的位置に対応する住所を属性情報として持つ住民または世帯についての統計値を、当該住民または世帯の属性情報に基づき算出して表示する統計表示手段とを有することを特徴とする行政業務支援システム。
【請求項６】
請求項１、２、３、４または５記載の行政業務支援システムであって、
ユーザから、前記属性情報から求まる複数の値の内からの、統計対象とする値の選択を受け付ける統計対象指定受付手段と、
前記地図画像を複数に分割した各領域について、当該領域に相当する地理的領域を算出し、前記住所データベースと前記住民データベースを参照し、算出した地理的領域内の地理的位置に対応する住所を属性情報として持つ住民または世帯についての前記統計対象指定受付手段が選択を受け付けた値の統計値を、当該住民または世帯の属性情報に基づき算出する統計値算出手段と、
前記地図画像を複数に分割した各領域について前記統計値算出手段が算出した統計値の地理的分布を表す統計地図を生成し、表示する統計地図表示手段とを有することを特徴とする行政業務支援システム。
【請求項７】
行政体の管轄する地理的範囲内の地図を表す地図データを格納した地図データベースと、住民または世帯の、少なくとも住所を含む属性情報を格納した住民データベースと、前記行政体の管轄する地理的範囲内の住所と当該住所が割り当てられている地理的位置との対応を示す住所地理的位置情報を格納した住所データベースとを備えたコンピュータシステムを用いて、行政体において住民または世帯に関する情報の取得を支援する行政業務支援方法であって、
前記コンピュータシステムにおいて、前記地図データベースに格納された地図データが表す地図画像を生成するステップと、
前記コンピュータシステムにおいて、前記住民データベースと前記住所データベースとを参照して求まる、各住民または世帯の住所に対応する地理的位置に相当する前記地図画像上の位置に、所定のマークを描画した、マーク表示地図画像を生成するステップと、
前記コンピュータシステムにおいて、前記マーク表示地図画像を表示するステップとを有することを特徴とする行政業務支援方法。
【請求項８】
コンピュータシステムによって読み取られ実行されるコンピュータプログラムであって、
前記コンピュータプログラムは、前記コンピュータシステムを、
行政体の管轄する地理的範囲内の地図を表す地図データを格納した地図データベースに格納された地図データが表す地図画像を生成する地図画像生成手段と、住民または世帯の、少なくとも住所を含む属性情報を格納した住民データベースと、前記行政体の管轄する地理的範囲内の住所と当該住所が割り当てられている地理的位置との対応を示す住所地理的位置情報を格納した住所データベースとを参照して求まる、各住民または世帯の住所に対応する地理的位置に相当する前記地図画像上の位置に、所定のマークを描画した、マーク表示地図画像を生成するマーク表示地図画像生成手段と、
前記マーク表示地図画像を表示する表示手段として機能させることを特徴とするコンピュータプログラム。
【発明の詳細な説明】
【０００１】
【発明の属する技術分野】
本発明は、行政業務の遂行において必要となる、住所の地理的属性との関連において住民や世帯の情報を収集したり把握することを支援する行政業務支援システムに関するものである。
【０００２】
【従来の技術】
近年、情報電子技術の進展と普及に伴い、情報電子技術を用いて行政業務を支援する、多種多様な行政業務支援システムが地方自治体等に導入されている。
通常、これらの行政業務支援システムにおける住民情報の管理は、伝統的な住民基本台帳による管理に倣い、各住民の基本台帳記載事項をデータとするデータベースを用いて行われることが多かった。すなわち、従来の行政業務支援システムでは、各住民の基本台帳記載事項をデータとしてデータベース化し、本データベースを利用して、データベースに登録した各データをキーとする、データベース登録データの検索等を可能としている。たとえば、このような行政業務支援システムによれば、住所をキーとしてデータベースの検索を行うことにより、特定の町内の特定の丁目に住所を持つ複数の住民の氏名、住所などを検索して出力することができる。
【０００３】
【発明が解決しようとする課題】
ここで、行政業務においては、住民や世帯の住所の地理的位置との関係において、住民や世帯の情報を収集したり把握したい場合がある。たとえば、ある地点に児童公園の新規設置を検討する場合において、その地点への児童公園設置の必要性を探るために、その児童公園の地点を中心とする所定距離の範囲内にどのくらいの児童が居住しているかを調べたい場合などである。そして、このような場合の地理的範囲は行政上定められる住所の区分けの範囲とは一致しないために、前述したデータベースによって、直接目的とする住民の情報を収集することはできない。
【０００４】
すなわち、従来の行政業務支援システムによれば、住民や世帯の住所の地理的位置との関係において、住民や世帯の情報を収集したり把握するために、多大の労力が必要となってしまうことがあるという問題があった。
そこで、本発明は、住民や世帯の住所の地理的位置との関係において、住民や世帯の情報の収集や把握することを支援することのできる行政業務支援システムを提供することを課題とする。
【０００５】
【課題を解決するための手段】
前記課題達成のために、本発明は、行政体において住民または世帯に関する情報の取得を支援する行政業務支援システムに、前記行政体の管轄する地理的範囲内の地図を表す地図データを格納した地図データベースと、前記住民または世帯の、少なくとも住所を含む属性情報を格納した住民データベースと、前記行政体の管轄する地理的範囲内の住所と当該住所が割り当てられている地理的位置との対応を示す住所地理的位置情報を格納した住所データベースと、前記地図データベースに格納された地図データが表す地図画像を生成する地図画像生成手段と、前記住民データベースと前記住所データベースとを参照して求まる、各住民または世帯の住所に対応する地理的位置に相当する前記地図画像上の位置に、所定のマークを描画した、マーク表示地図画像を生成するマーク表示地図画像生成手段と、前記マーク表示地図画像を表示する表示手段とを備えたものである。
【０００６】
このような行政業務支援システムによれば、前記行政体の管轄する地理的範囲内の住所と当該住所が割り当てられている地理的位置との対応を示す住所地理的位置情報を格納した住所データベースを設けることにより、住民データベースに格納された住民または世帯の属性情報を、地図データベースに格納された地図データが表す地図と統合し、地図上に住民または世帯をマークで表したマーク表示地図画像として提示することができる。したがって、ユーザは、このマーク表示地図画像より、直接、住所の地理的位置との関係において住民や世帯を把握することができるようになる。また、このような住所データベースを用いて住所と地理的位置を対応づける手法は、住民や世帯に対して直接地理的位置を対応づける手法に比べ、住民や世帯の転入、転出や、居住者のいない住所への住民の新規居住などにも、対応が容易な効率的な手法である。
【０００７】
ここで、このような行政業務支援システムにおいては、前記地図データベースに、前記行政体の管轄する地理的範囲内の地図を表す、相互に異なる複数の種別の地図データを格納すると共に、ユーザから、前記地図データベースに格納された地図データの複数の種別のうちから、少なくとも一つの種別の選択を受け付ける地図選択受付手段を設け、前記地図画像生成手段において、前記地図データベースに格納された、前記地図選択受付手段が受け付けた種別の地図データが表す地図画像を生成するようにすることが好ましい。
【０００８】
このようにすることによりユーザは、自身の目的に適した種別の地図上で、地理的な観点からの住民や世帯の把握を行うことができるようになる。また、地図の種別を切り替えながら作業を行うことにより、多様な観点からの住民や世帯の把握が可能となる。
【０００９】
また、これらの行政業務支援システムにおいては、前記表示手段が表示した前記マーク表示地図画像上で前記マークの指定を受け付けるマーク指定受付手段と、前記マーク指定受付手段が受け付けたマークに対応する前記住民または世帯の属性情報を前記住民データベースより検索し、検索した属性情報を表示する住民情報提示手段とを備えることも望ましい。
【００１０】
このようにすることにより、ユーザは、マーク表示地図画像において地理的位置との関係において着目した住民や世帯の属性情報を、マーク表示地図画像から直接、即座にアクセスすることができるようになる。
また、さらには、ユーザより、前記属性情報の検索条件の指定を受け付ける検索条件指定受付手段を設け、前記マーク表示地図画像生成手段において、前記住民データベースを参照して求まる、前記検索条件指定受付手段が指定を受け付けた検索条件に合致する属性情報を持つ住民または世帯についてのみ、当該各住民または世帯の住所に対応する地理的位置に相当する前記地図画像上の位置に、所定のマークを描画した、マーク表示地図画像を生成するようにすることも好ましい。
【００１１】
このようにすることにより、ユーザは、所望の観点から、目的とする住民または世帯を抽出し、抽出した住民または世帯の地理的な分布などを地図上で把握することができるようになる。
また、これらの行政業務支援システムには、前記表示手段が表示した前記マーク表示地図画像上の領域の指定を受け付ける領域指定受付手段と、前記領域指定受付手段が指定を受け付けた地図画像上の領域に相当する地理的領域を算出し、前記住所データベースと前記住民データベースを参照し、算出した地理的領域内の地理的位置に対応する住所を属性情報として持つ住民または世帯についての統計値を、当該住民または世帯の属性情報に基づき算出して表示する統計表示手段とを備えるようにしてもよい。
【００１２】
このようにすることにより、ユーザは地図上で領域を選択するだけで、当該領域内の住民または世帯の統計値を得ることができるようになる。
また、これらの行政業務支援システムには、ユーザから、前記属性情報から求まる複数の値の内からの、統計対象とする値の選択を受け付ける統計対象指定受付手段と、前記地図画像を複数に分割した各領域について、当該領域に相当する地理的領域を算出し、前記住所データベースと前記住民データベースを参照し、算出した地理的領域内の地理的位置に対応する住所を属性情報として持つ住民または世帯についての前記統計対象指定受付手段が選択を受け付けた値の統計値を、当該住民または世帯の属性情報に基づき算出する統計値算出手段と、前記地図画像を複数に分割した各領域について前記統計値算出手段が算出した統計値の地理的分布を表す統計地図を生成し、表示する統計地図表示手段とを備えるようにしても良い。
【００１３】
このようにすることにより、住民または世帯の属性情報から求まる所望の値についての、統計値の地理的分布を統計地図の形態で得ることができるようになる。
【００１４】
【発明の実施の形態】
以下、本発明の実施形態について説明する。
図１に、本実施形態に係る行政業務支援システムの構成を示す。
ここで、本実施形態における行政業務支援システムは自治体の行政業務を支援するシステムである。そして、図示するように、行政業務支援システムは、住民票データベース２と世帯データベース３とサービス管理データベース４とを備えた住民データベースサーバ５と、地図データベース６を備えた地図データベースサーバ７と、プリントサーバ８と、住所座標変換テーブル９を備えた住民情報提供サーバ１０とを有し、これらサーバは基幹系ＬＡＮ１１で接続されている。また、住民情報提供サーバ１０とユーザによって使用されるパーソナルコンピュータなどのクライアント端末１２とはユーザ系ＬＡＮ１３で接続されている。
【００１５】
なお、住民データベースサーバ５や地図データベースサーバ７やプリントサーバ８や住民情報提供サーバ１０は、実際には、ＣＰＵや主記憶やハードディスク装置等の外部記憶装置やキーボードやポインティングデバイスなどの入力装置や表示装置やネットワークインタフェースを備えた、一般的な構成を有するコンピュータであってよく、この場合、以下に説明する各サーバの機能や構成部は、ＣＰＵが主記憶に外部記憶装置からロードされたプログラムを実行することにより電子計算機上に具現化されるプロセスとして実現される。また、この場合において、以上のプログラムは、たとえばＣＤ−ＲＯＭなどの可搬型の記憶媒体や、通信媒体から、コンピュータに提供され外部記憶装置等に記憶されるものであってよい。また、以上の住民データベースサーバ５や地図データベースサーバ７やプリントサーバ８や住民情報提供サーバ１０は単一のコンピュータ上に構築されてもかまわない。
【００１６】
次に、以上の各データベース及び住所座標変換テーブル９に格納されたデータについて説明する。
まず、図２ａに示すように住民票データベース２は自治体の住民毎に設けた住民票レコード２０１を有し、各レコードには、行政業務支援システム内で当該住民の識別に用いる住民ＩＤの他、当該住民の住民票記載事項である住民票コード、氏名、出生年月日、性別、世帯主か否かの識別、戸籍、転入年月日、住所、選挙権の有無などの情報が記述されている。
【００１７】
次に、図２ｂに示すように、世帯データベース３は自治体の世帯毎に設けた世帯レコード２０２を有し、各世帯レコード２０２には、行政業務支援システム内で当該世帯の識別に用いる世帯ＩＤと、当該世帯の世帯主の住民の住民ＩＤである世帯主住民ＩＤと、当該世帯の世帯主以外の住民の住民ＩＤが記述される。
【００１８】
そして、図２ｃに示すように、サービス管理データベース４には、自治体が住民に提供するサービス毎に設けたサービス管理レコード２０３を有し、各サービス管理レコード２０３には、当該サービスのＩＤであるサービスＩＤと、当該サービスの名称と、当該サービスの提供拠点の住所と、当該サービスを受給する住民の住民ＩＤが記述される。たとえば、行政業務支援システムにおいて、自治体が運営する＊＊幼稚園のサービスを管理する場合には、＊＊幼稚園をサービス名称とするサービス管理レコード２０３を設け、このサービス管理レコード２０３に、適当なサービスＩＤと、＊＊幼稚園の住所と、＊＊幼稚園の園児である住民の住民ＩＤを記述する。
【００１９】
また、図２ｄに示すように、住所座標変換テーブル９は、自治体内の住所毎に設けた座標レコード２０４を有し、座標レコード２０４には、住所と、当該住所に対応する区域の中心点の地理的な経緯度座標とが記述される。ただし、座標レコード２０４には、住所に対応する区域の中心点ではなく、当該住所に対応する区域自体の形状、地理的位置を表す地理的な経緯度座標情報を記述するようにしてもよい。
【００２０】
そして、最後に、地図データベース６は、図２ｅに示すように、自治体の各種地図データを格納したデータベースであり、地図データベース６に格納される地図データとしては、地形地図を表す地形地図データ、自治体の住居地図を表す住居地図データ、自治体の防災地図を表す防災地図データ、自治体の都市計画地図を表す都市計画地図データや、自治体の道路地図を表す道路地図データや、自治体の下水地図を表す下水地図データなどがある。
【００２１】
さて、次に、住民情報提供サーバ１０の内部構成を図３に示す。
図示するように、住民情報提供サーバ１０は、クライアント端末１２のユーザに対してＧＵＩを提供するＧＵＩ制御部１１１、住民情報提供サーバ１０全体の制御を行う主制御部１１２、プリントサーバ８に対して印刷を依頼するプリントクライアント部１１３、地図データベースサーバ７や住民データベースサーバ５に対してデータベース蓄積データの検索と供給を依頼するデータベースクライアント部１１４、地図画像を描画して地図レイヤを生成する地図描画部１１５、地図上に住民や世帯やサービス拠点を表すアイコンを描画してアイコンレイヤを生成するアイコンオブジェクト生成部１１６、地図レイヤ上にアイコンレイヤを合成したアイコン表示地図画像を生成する合成処理部１１７と、オブジェクトテーブル１１８とを有する。
【００２２】
ここで、オブジェクトテーブル１１８には、図４に示すように、アイコンオブジェクト生成部１１６が描画する各アイコン毎に、アイコンが住民を表すアイコンであるのか世帯を表すアイコンであるのかサービス拠点を表すアイコンであるのかの識別を示すアイコン種別、アイコンに対応する住民又は世帯又はサービス拠点の住所の経緯度座標、アイコンを描画したアイコンレイヤ上の座標である表示座標、アイコンに対応する住民ＩＤまたは世帯の世帯ＩＤまたはサービス拠点のサービスＩＤを格納する。
【００２３】
以下、このような行政業務支援システムの動作について説明する。
図５に、住民情報提供サーバ１０の主制御部１１２が行う処理の手順を示す。まず、ユーザが、クライアント端末１２を用いて、住民情報提供サーバ１０にログインすると、ＧＵＩ制御部１１１を介してログインを受領した主制御部１１２は、クライアント端末１２のユーザとの間で所定の認証処理を行い（ステップ５０１）、認証が成功したならば、ＧＵＩ制御部１１１に、地図指定受付画面をクライアント端末１２に送信させ（ステップ５０２）、当該クライアント端末１２に表示させる。そして、地図指定受付画面上で、地図の種類と地図の表示地域の選択を受け付ける（ステップ５０３）。また、世帯とサービスを対象オブジェクトに設定する（ステップ５０４）。
ここで、図６に、住民情報提供サーバ１０より送信されクライアント端末１２に表示される地図指定受付画面を示す。
【００２４】
図示するように、この地図指定受付画面では、クライアント端末１２を使用するユーザから、ポップアップメニュー６０１、６０２によって地図の種類と地図の表示地域の選択を受け付ける。なお、地図の種類としては、地図データベース６に格納されている地図の種類の内の一つの種類の選択を受け付ける。また、表示地域としては、予め行政区画などに基づいて設定しておいたいくつかの地域のうちから、一つの地域の選択を、その地域を表す名称の選択によって受け付ける。
【００２５】
さて、クライアント端末１２は、ユーザから地図の種類と表示地域の選択がなされ、ＯＫボタン６０３が操作されると、選択された地図の種類と表示地域の情報を住民情報提供サーバ１０に送信する。ＧＵＩ制御部１１１を介して、選択された地図の種類と表示地域を受け取った主制御部１１２は（ステップ５０３）、データベースクライアント部１１４を介して、地図データベースサーバ７に選択された種類の地図の選択された表示地域内の地図データを要求することにより、当該種類の地図の当該表示地域内の地図データを地図データベース６より入手する（ステップ５０５）。
【００２６】
次に、主制御部１１２は、選択された表示地域に対応する地域内の経緯度座標を持つ住所を住所座標変換テーブル９を参照して求め、データベースクライアント部１１４を介して、求めた各住所を持つ対象オブジェクトのＩＤを入手する（ステップ５０６）。すなわち、最初の本ステップ実行時には、対象オブジェクトとして、世帯とサービスが設定されているので、求めた住所を持つ世帯の世帯ＩＤの世帯データベース３からの検索と、求めた各住所をサービス拠点住所として持つサービスＩＤのサービス管理データベース４からの検索を住民データベースサーバ５に要求することにより、選択された表示地域に対応する地域内に居住する世帯の世帯ＩＤと、選択された表示地域の対応する地域内にサービス拠点があるサービスのサービスＩＤを入手する。そして、入手した対象オブジェクトのＩＤと、対象オブジェクトの種別を表すアイコン種別と、対応するオブジェクトの住所の経緯度座標との対応をオブジェクトテーブル１１８に格納する（ステップ５０７）。すなわち、最初の本ステップ実行時には、世帯ＩＤとサービスＩＤを入手するので、入手した各世帯ＩＤについては、世帯を表すアイコン種別と、対応する世帯の住所の経緯度座標と、世帯ＩＤとの対応をオブジェクトテーブル１１８に格納し、入手した各サービスＩＤについてはサービスを表すアイコン種別と、対応するサービス拠点の住所の経緯度座標と、サービスＩＤとの対応を登録する。
【００２７】
そして、地図描画部１１５に入手した地図データが表す地図の地図画像を描画した地図レイヤを生成させ（ステップ５０８）、アイコンオブジェクト生成部１１６に描画させた地図画像の地理的座標範囲の情報等を引き渡し、オブジェクトテーブル１１８の各エントリに対応するアイコンを描画したアイコンレイヤを生成させる（ステップ５０９）。すなわち、アイコンオブジェクト生成部１１６は、地図画像の地理的座標範囲を参照して、オブジェクトテーブル１１８に登録された各エントリについて、エントリのアイコン種別が世帯である場合には、エントリに記述された経緯度座標に対応する地図レイヤの地図画像上の座標に一致するアイコンレイヤ上の座標に世帯を表す所定形状の世帯アイコンを描画し、エントリのアイコン種別がサービスである場合には、エントリに記述された経緯度座標に対応する地図レイヤの地図画像上の座標に一致するアイコンレイヤ上の座標にサービス拠点を表す所定形状のサービス拠点アイコンを描画し、エントリのアイコン種別が住民である場合には、エントリに記述された経緯度座標に対応する地図レイヤの地図画像上の座標に一致するアイコンレイヤ上の座標に住民を表す所定形状の住民アイコンを描画する。また、各エントリに、そのエントリに対応するアイコンを描画したアイコンレイヤ上の座標を表示座標として登録する。
なお、最初の本ステップ実行時には、オブジェクトテーブル１１８には世帯とサービスのアイコン種別のエントリのみが存在することになるので、世帯アイコンとサービス拠点アイコンが描画されたアイコンレイヤが生成されることになる。
【００２８】
そして、主制御部１１２は、このようにして生成された地図レイヤとアイコンレイヤを合成処理部１１７に合成させ（ステップ５１０）、アイコン表示地図画像を生成させる。
ここで、図７は、このようなアイコン表示地図画像の生成のようすを模式的に示したものである。
図示するように、アイコン表示地図画像ｃは、地図データベース６に格納された複数の種類の地図データのうちからユーザが任意に選択した地図データが表す地図画像の地図レイヤｂ上に、世帯やサービス拠点を表すアイコンを、地図上で、その住所に対応する位置となるように描画したアイコンレイヤａを合成して生成される。このように本実施形態では、ユーザは、目的に応じて適当な種類の地図を選択することにより、選択した種類の地図上に、住民や世帯やサービス拠点のアイコンが配置されたアイコン表示地図画像を生成することができる。
【００２９】
さて、次に、主制御部１１２は、ＧＵＩ制御部１１１に、生成されたアイコン表示地図画像を含めた地図表示画面をクライアント端末１２に送信させ（ステップ５１１）、当該クライアント端末１２に表示させる。
図８は、このようにしてクライアント端末１２に表示される地図表示画面を示したものである。
図示するように、地図表示画面は、アイコン表示地図画像を表示する地図表示エリア８０１と、ユーザ操作を受け付けるための操作受付エリア８０２とよりなる。
また、最初に表示されるアイコン表示地図画像等、対象オブジェクトとして、世帯とサービスが設定されているときのアイコン表示地図画像では、アイコン表示地図画像は、ユーザによって選択された地図の種類の、選択された表示地域に対応する地域の地図上に、世帯の位置を表す世帯アイコン（図では星型のマーク）と、サービス拠点を表すサービス拠点アイコン（図では６角形のマーク）が表示されたものとなっている。
【００３０】
一方、操作受付エリア８０２には、アイコン表示地図画像の表示地域を縮尺を変えずに変更するための方向ボタン８５２と、アイコン表示地図画像の地図縮尺を変更するための縮尺変更プルダウンメニュー８５３が設けられている。
また、操作受付エリア８０２には、アイコン表示地図画像上で、ユーザから情報提供指示を受け付けるための複数のツールボタン８６１〜８６６よりなるツールボックス８５４と、追加ボタン８５５と、一覧印刷ボタン８５６と、クリアボタン８５７と、終了ボタン８５８と、地図変更ボタン８７０が設けられている。
【００３１】
方向ボタン８５２もしくは縮尺変更プルダウンメニュー８５３がユーザによって操作された場合、クライアント端末１２、ＧＵＩ制御部１１１を介して操作を受け付けた主制御部１１２は（ステップ５１２）、操作の内容に応じて表示地域を変更して、以上のステップ５０５〜５１１の処理を行うことにより、地図表示画面に表示するアイコン表示地図画像を、操作に従って縮尺や表示地域が変更されたものとなるように更新する。
【００３２】
一方、ツールボックス８５４のツールボタン８６１〜８６６が操作された場合には（ステップ５１３）、操作されたツールボタンに対応する処理を行う（ステップ５１９）。また、追加ボタン８５５が操作された場合には（ステップ５１４）、たとえばその時点で選択されているアイコンに対応してオブジェクトテーブル１１８に登録されている世帯ＩＤまたは住民ＩＤを出力対象ＩＤに追加する処理を行う（ステップ５２０）。また、一覧印刷ボタン８５６が操作された場合には（ステップ５１５）、データベースクライアント部１１４によって出力対象ＩＤに対応する世帯や住民の住所、氏名などの予め定めた種類の情報を、住民データベースサーバ５を介して住民票データベース２や世帯データベース３より入手し、入手した情報をプリントクライアント部１１３を介してプリントサーバ８から印刷する（ステップ５２１）。
【００３３】
そして、クリアボタン８５７が操作された場合には（ステップ５１６）、ステップ５０４に戻って以上の処理を行う。また、地図変更ボタン８７０が操作された場合には（ステップ５１７）、地図データベース６に格納されている地図の種類の内の一つの種類の選択を受け付け、地図データベース６より、選択された種類の現在の表示地図範囲内の地図データを検索し、ステップ５０８の処理に戻ることにより、地図表示画面に表示する地図の種類を変更する（ステップ５２２）。そして、終了ボタン８５８が操作された場合には（ステップ５１８）、処理を終了する。
【００３４】
以下、ステップ５１９で行うツールボックス８５４の各ツールボタンに対応して行う処理について説明する。
ツールボックス８５４には、ツールボタンとして、四角形ツール８６１、円形ツール８６２、多角形ツール８６３、分布図ツール８６４、選択ツール８６５、検索ツール８６６が用意されている。
まず、選択ツール８６５が操作された場合に行う処理について説明する。
図８に示すように、選択ツール８６５がカーソル８１０によって選択された場合（ａ）、ＧＵＩ制御部１１１は、クライアント端末１２のユーザの操作に応じてカーソル８１０による世帯アイコンまたは住民アイコンまたはサービス拠点アイコンの選択を受付け（ｂ）、選択を受け付けたアイコン８００
の表示形態を選択状態を表す形態に更新し、受け付けたアイコンに対応してオブジェクトテーブル１１８に登録されている世帯ＩＤまたは住民ＩＤまたはサービスＩＤを主制御部１１２に引き渡す。より具体的には、ＧＵＩ制御部１１１は、クリックされた時点のカーソル８１０の座標と、オブジェクトテーブル１１８に登録された表示座標を比較し、カーソル８１０の座標に所定レベル以上近接する表示座標を持つエントリが存在したならば、そのエントリに登録されている世帯ＩＤまたは住民ＩＤまたはサービスＩＤを主制御部１１２に引き渡す。
【００３５】
主制御部１１２は、世帯ＩＤが引き渡された場合には、データベースクライアント部１１４を介して、住民データベースサーバ５に世帯データベース３と住民票データベース２を用いた、引き渡された世帯ＩＤの世帯の情報と当該世帯に属する住民の情報の検索を要求することにより、ユーザによってクリックされた世帯アイコンに対応する世帯の住所等の情報や当該世帯の構成員の氏名等の情報を入手し、入手した世帯の情報をＧＵＩ制御部１１１を介して、クライアント端末１２に、世帯情報表示ウインドウ８１１の形態で表示する。また、この世帯情報表示ウインドウ８１１上で、世帯構成員氏名のカーソル８１０による選択を受付けたならば（ｃ）、データベースクライアント部１１４を介して、住民データベースサーバ５に、住民票データベース２とサービス管理データベース４を用いた、受け付けた世帯構成員の住民ＩＤに対応する住民の性別、出生年月日、受給しているサービスのサービス名称などの情報の検索を要求することにより、選択された世帯構成員である住民の情報を入手し、入手した住民の情報を、ＧＵＩ制御部１１１を介して、クライアント端末１２に、住民情報表示ウインドウ８１２の形態で表示する。
【００３６】
なお、後述するように本実施形態では、アイコン表示地図画像として、図１０に示すような住民を表すアイコンである住民アイコンを地図画像上に表示した画像を生成する場合もあり、この場合においては、ユーザによって住民アイコン８０４がカーソル８１０によって選択されたことにより（ｄ）、ＧＵＩ制御部１１１から住民アイコンを引き渡された主制御部１１２は、データベースクライアント部１１４を介して、住民データベースサーバ５に、住民票データベース２とサービス管理データベース４を用いた、引き渡された住民ＩＤに対応する住民の性別、出生年月日、受給しているサービスのサービス名称などの情報の検索を要求することにより、ユーザによって選択された住民アイコンに対応する住民の情報を入手し、入手した住民の情報を、ＧＵＩ制御部１１１を介して、クライアント端末１２に、住民情報表示ウインドウ８１２の形態で表示する。
【００３７】
さて、このようにして世帯アイコンや住民アイコンがユーザによって選択されている状態において、追加ボタン８５５がユーザによって操作されると、主制御部１１２は、その時点で選択されている世帯アイコンに対応する世帯ＩＤまたは住民ＩＤを出力対象ＩＤに追加する。
【００３８】
また、主制御部１１２は、このようにして世帯アイコンや住民アイコンがユーザによって選択されている状態において、ユーザによって、他のツールボタンが選択されたり、選択ツール８６５で他の世帯アイコンや住民アイコンが選択されると、世帯情報表示ウインドウ８１１や住民情報表示ウインドウ８１２を消去する。また、ＧＵＩ制御部１１１は、それまで選択され、選択状態を示す形態で表示していた世帯アイコンや住民アイコンの表示の形態を元に戻す。
【００３９】
さて、選択ツール８６５によって、図９に示すように、サービス拠点アイコン８０３がカーソル８１０によって選択され（ａ）、サービスＩＤが引き渡された場合の主制御部１１２の動作は、以下のようになる。
まず、主制御部１１２は、引き渡されたサービスＩＤに対応するサービス名称を、住民データベースサーバ５を介してサービス管理データベース４を入手する。そして、検索ウインドウ８１３を表示し、引き渡されたサービスＩＤに対応するサービスの受給者の住民を検索するか、引き渡されたサービスＩＤに対応するサービスの受給者が所属する世帯を検索するかの選択をＧＵＩ制御部１１１、クライアント端末１２を介してユーザより受け付ける。
【００４０】
そして、カーソル８１０によって世帯を検索することが選択された場合には（ｂ）、オブジェクトテーブル１１８に登録されている世帯ＩＤと住民ＩＤのエントリを消去し、対象オブジェクトを、引き渡されたサービスＩＤのサービスの受給者世帯と、サービスに設定し、表示地域に対応する地域内の経緯度座標を持つ住所を住所座標変換テーブル９を参照して求め、データベースクライアント部１１４を介して、求めた各住所を持つ対象オブジェクトのＩＤを入手する。ここでは、対象オブジェクトとして、引き渡されたサービスＩＤのサービスの受給者世帯とサービスが設定されているので、サービス管理データベース４と世帯データベース３を用いた、求めた各住所を住所として持ち、引き渡されたサービスＩＤのサービスを受給している住民が世帯構成員となっている世帯ＩＤの検索と、求めた各住所をサービス拠点住所として持つサービスＩＤのサービス管理データベース４からの検索を住民データベースサーバ５に要求することにより、対象オブジェクトに対応する世帯ＩＤとサービスＩＤを入手する。そして、入手した各世帯ＩＤについては、世帯を表すアイコン種別と、対応する世帯の住所の経緯度座標と、世帯ＩＤとの対応をオブジェクトテーブル１１８に格納し、入手した各サービスＩＤについてはサービスを表すアイコン種別と、対応するサービス拠点の住所の経緯度座標と、サービスＩＤとの対応をオブジェクトテーブル１１８に格納する。
【００４１】
そして、アイコンオブジェクト生成部１１６に、オブジェクトテーブル１１８に従ったアイコンの描画とアイコンレイヤの生成と、オブジェクトテーブル１１８のエントリへの、そのエントリに対応するアイコンを描画したアイコンレイヤ上の座標の表示座標としての登録を行わせる。また、主制御部１１２は、合成処理部１１７、ＧＵＩ制御部１１１を制御し、クライアント端末１２において地図表示画面に表示されるアイコン表示地図画像を、それまでに使用していたアイコンレイヤに代えて新たに生成されたアイコンレイヤを用いたものに更新する。
【００４２】
結果、地図表示画面に表示されるアイコン表示地図画像は、図９の地図表示エリア８０１に示したように、サービス拠点アイコンと、ユーザがアイコンを選択したサービス拠点８０３が提供するサービスの受給者が存在する世帯のみの世帯アイコンが表示されたものに更新される。
【００４３】
一方、検索ウインドウ８１３で、カーソル８１０によって住民を検索することが選択された場合には、オブジェクトテーブル１１８に登録されている世帯ＩＤと住民ＩＤのエントリを消去し、対象オブジェクトを、引き渡されたサービスＩＤのサービスの受給者住民と、サービスとに設定し、表示地域に対応する地域内の経緯度座標を持つ住所を住所座標変換テーブル９を参照して求め、データベースクライアント部１１４を介して、求めた各住所を持つ対象オブジェクトのＩＤを入手する。ここでは、対象オブジェクトとして、引き渡されたサービスＩＤのサービスの受給者住民とサービスが設定されているので、サービス管理データベース４と住民票データベース２を用いた、求めた各住所を住所として持ち、引き渡されたサービスＩＤのサービスを受給している住民の住民ＩＤの検索と、求めた各住所をサービス拠点住所として持つサービスＩＤのサービス管理データベース４からの検索を住民データベースサーバ５に要求することにより、対象オブジェクトに対応する世帯ＩＤとサービスＩＤを入手する。そして、入手した各住民ＩＤについては、住民を表すアイコン種別と、対応する住民の住所の経緯度座標と、住民ＩＤとの対応をオブジェクトテーブル１１８に格納し、入手した各サービスＩＤについてはサービスを表すアイコン種別と、対応するサービス拠点の住所の経緯度座標と、サービスＩＤとの対応をオブジェクトテーブル１１８に格納する。
【００４４】
そして、アイコンオブジェクト生成部１１６に、オブジェクトテーブル１１８に従ったアイコンの描画とアイコンレイヤの生成と、オブジェクトテーブル１１８のエントリへの、そのエントリに対応するアイコンを描画したアイコンレイヤ上の座標の表示座標としての登録を行わせる。ここで、アイコンオブジェクト生成部１１６は、アイコン種別が住民のエントリに対しては、住民を表す所定形状のアイコン（たとえば図１０に示すハート型のアイコン）である住民アイコンを描画する。ここで、同経緯度座標のエントリが複数ある場合には、これらエントリに対応する住民アイコンについては、相互に重ならないように少し位置をずらして描画する。または、同経緯度座標のエントリが複数ある場合には、これら住民アイコン（または、これら住民アイコンのうち一番上に描画される住民アイコン）については、表示色を他の住民アイコンとは異なる表示色とすることにより、複数の住民アイコンが重なっていることをユーザが視認可能なようにする。
【００４５】
また、主制御部１１２は、合成処理部１１７、ＧＵＩ制御部１１１を制御し、クライアント端末１２において地図表示画面に表示されるアイコン表示地図画像を、それまでに使用していたアイコンレイヤに代えて新たに生成されたアイコンレイヤを用いたものに更新する。
【００４６】
この結果、地図表示画面に表示されるアイコン表示地図画像は、サービス拠点アイコンと、ユーザがアイコンを選択したサービス拠点が提供するサービスの受給者である住民のアイコンのみが表示されたものに更新される。
ここで、このように特定のサービス受給者の住民アイコンや、特定のサービス受給者の世帯アイコンが表示された状態で、追加ボタン８５５がユーザによって操作されると、主制御部１１２は、オブジェクトテーブル１１８に登録されている全ての住民ＩＤもしくは世帯ＩＤを出力対象ＩＤに追加する。なお、このように特定のサービス受給者の住民アイコンや、特定のサービス受給者の世帯アイコンが表示された状態においても、前述のように選択ツール８６５によるアイコン選択に応じて、世帯や住民の情報の表示や、選択ツール８６５で選択されたアイコンに対応する世帯ＩＤもしくは住民ＩＤの追加ボタン操作に応答した出力対象ＩＤへの追加を行う。
【００４７】
次に、ツールボックス８５４の検索ツール８６６が操作された場合について説明する。
図１０に示すようにカーソル８１０で検索ツール８６６が選択された場合（ａ）、主制御部１１２は、ＧＵＩ制御部１１１を介して、条件検索ウインドウ８１４をクライアント端末１２に表示する。そして、条件検索ウインドウ８１４上で、どのような条件に合致する世帯または住民を検索するかの指定をカーソル操作によって受け付ける（ｂ、ｃ）。ここで受け付ける条件は、住民票データベース２や世帯データベース３やサービス管理データベース４によって世帯や住民に対応づけられる任意の条件であってよい。たとえば、あるサービスの受給者住民や、女性である住民や、高齢者である住民や、選挙民である住民や、これらいずれかの住民が所属する世帯などであってよい。なお、条件検索ウインドウ８１４上の詳細ボタンは、論理演算などを用いたより複雑な条件の設定を受け付けるためのボタンであり、この詳細ボタンが操作された場合には、たとえば、女性の高齢者であってディリーサービスを受給している住民であって、児童である住民と同世帯の住民などのより複雑な条件により検索条件を、適当な詳細条件設定ウインドウを表示して受け付ける。
【００４８】
さて、主制御部１１２は、条件検索ウインドウ８１４で検索の条件を受け付けたならば、オブジェクトテーブル１１８に登録されている世帯ＩＤと住民ＩＤのエントリを消去し、対象オブジェクトを、受け付けた条件を満たす住民もしくは世帯、または、受け付けた条件を満たす住民及び世帯とし、表示地域に対応する地域内の経緯度座標を持つ住所を住所座標変換テーブル９を参照して求め、データベースクライアント部１１４を介して、求めた各住所を持つ対象オブジェクトのＩＤを入手する。たとえば、検索条件が女性である住民というものであれば、対象オブジェクトとして、女性である住民が設定されているので、住民票データベース２を用いた、求めた各住所を住所として持ち性別が女性である住民ＩＤの検索を住民データベースサーバ５に要求することにより、対象オブジェクトに対応する住民ＩＤを入手する。
【００４９】
そして、入手した世帯ＩＤについては、世帯ＩＤを表すアイコン種別と、対応する世帯の住所の経緯度座標と、世帯ＩＤとの対応をオブジェクトテーブル１１８に格納し、入手した住民ＩＤについては住民ＩＤを表すアイコン種別と、対応する世帯の住所の経緯度座標と、世帯ＩＤとの対応をオブジェクトテーブル１１８に格納する。
【００５０】
そして、アイコンオブジェクト生成部１１６に、オブジェクトテーブル１１８に従ったアイコンの描画とアイコンレイヤの生成と、オブジェクトテーブル１１８のエントリへの、そのエントリに対応するアイコンを描画したアイコンレイヤ上の座標の表示座標としての登録を行わせる。また、主制御部１１２は、合成処理部１１７、ＧＵＩ制御部１１１を制御し、クライアント端末１２において地図表示画面に表示されるアイコン表示地図画像を、それまでに使用していたアイコンレイヤに代えて新たに生成されたアイコンレイヤを用いたものに更新する。
【００５１】
結果、地図表示画面に表示されるアイコン表示地図画像は、条件検索ウインドウ８１４でユーザが指定した条件に合致する住民もしくは世帯、または、住民及び世帯のみのアイコンが表示されたものに更新される。
なお、図１０は、女性である住民を検索した場合のアイコン表示地図画像を表しており、女性である各住民について、当該住民の住所に対応する地図上の位置に、住民を表すハート型のアイコンが表示されている。
なお、この状態で、追加ボタン８５５がユーザによって操作されると、主制御部１１２は、オブジェクトテーブル１１８に登録されている全ての住民ＩＤもしくは世帯ＩＤを出力対象ＩＤに追加する。また、前述のように選択ツール８６５によるアイコンの選択に応じて、世帯や住民の情報の表示や、選択ツール８６５で選択されたアイコンに対応する世帯ＩＤもしくは住民ＩＤの追加ボタン操作に応答した出力対象ＩＤへの追加を行う。図１０には、選択ツール８６５が選択された状態において、カーソル８１０によって住民アイコン８０４が選択され（ｄ）、住民情報表示ウインドウ８１２によって、住民アイコン８０４が表す住民の情報が表示されたようすを示している。
【００５２】
次に、ツールボックス８５４の四角形ツール８６１が操作された場合の動作について説明する。
図１１に示すように、四角形ツール８６１がカーソル操作によって選択された場合（ａ）、主制御部１１２は、ＧＵＩ制御部１１１、クライアント端末１２を介して、以下の動作を行う。すなわち、カーソル８１０のドラッグとクリックに従ってアイコン表示地図画像の四角形の領域８１６の指定を受け付け、指定を受け付けた四角形領域の輪郭をアイコン表示地図画像上に描画する。
【００５３】
そして、受け付けたアイコン表示地図画像上の領域に対応する地理的経緯度座標範囲を算出し、算出した経緯度座標範囲に含まれる住所を住所座標変換テーブル９から抽出する。そして、データベースクライアント部１１４を介して、住民データベースサーバ５に、抽出した住所を持つ世帯レコード２０２と、抽出した住所を持つ住民レコードを検索を要求し、抽出した住所に居住する世帯や住民の、世帯データベース３、住民票データベース記録情報を入手する。そして、入手した記録情報より、受け付けたアイコン表示地図画像上の領域に対応する地理的経緯度座標範囲内に住所を持つ世帯数や住民数や男性数や女性数や構成者数などの、統計的情報を生成し、ＧＵＩ制御部１１１を介して、クライアント端末１２に統計情報表示ウインドウ８１５の形態で表示する。
【００５４】
ここで、円ツール８６２、多角形ツール８６３が選択された場合も四角形ツール８６１が選択された場合と同様であるが、これらのツールではユーザのカーソル８１０の操作に従って、それぞれ円形の領域８１７、任意の多角形の領域８１８の指定を受け付ける点が異なる。
【００５５】
この結果、ユーザは、四角形ツール８６１や円ツール８６２や多角形ツール８６３を用いて、地図上の任意の領域を指定し、その領域に住所を持つ世帯や住民の統計的情報を得ることができるようになる。
次に、ツールボックス８５４の分布図ツール８６４が操作された場合の動作について説明する。
図１２に示すように、カーソル操作によって分布図ツール８６４が選択された場合（ａ）、主制御部１１２は、ＧＵＩ制御部１１１を介して、クライアント端末１２に分布図属性設定ウインドウ８１９を表示し、分布図の区分けの指定と、分布図作成の対象の指定をカーソル操作によって受け付ける（ｂ、ｃ）。分布図の区分けとしては、たとえば、矩形のメッシュによる区分け、行政区域による区分け、地図データの情報に含まれる高度による区分け、防災地図データの情報に含まれる危険度レベルによる地域分けによる区分けなどを受け付ける。また、分布図作成の対象としては、たとえば、世帯密度、住民密度などを受け付ける。ここで、分布図属性設定ウインドウ８１９の詳細ボタンがユーザによって操作された場合、主制御部１１２は適当な詳細設定ウインドウを表示し、より詳細に区域分けや分布図の対象の設定を受け付ける。たとえば、詳細設定ウインドウでは、区分けとして用いる矩形メッシュの大きさや、区分けとして用いる行政区域を町内会単位にするか丁単位にするか等を受け付け、分布図の対象としては、特定年齢範囲の住民や特定年齢範囲の住民が属する世帯の密度などを受け付ける。
【００５６】
さて、このようにして、分布図の区分けの指定と、分布図作成の対象の指定を受け付けたならば、主制御部１１２は、まず、指定された区分けの指定に従って、アイコン表示地図画像として表示している地理的座標範囲を区分けする。そして、区分けした各地理的座標範囲について、その地理的座標範囲に含まれる住所を住所座標変換テーブル９を参照して求め、求めた住所を持つ世帯数、住民数など、指定された分布図作成の対象の値を求めるために必要となる情報を、データベースクライアント部１１４を介して住民データベースサーバ５から入手し、入手した情報より、指定された分布図作成の対象の値を求める。たとえば、指定された分布図作成の対象が世帯密度であれば、区分けした各地理的座標範囲について、各地理的座標範囲内の住所を住所座標変換テーブル９を参照して求め、求めた住所を持つ世帯データベース３上の世帯レコード２０２の数を、住民データベースサーバ５に問い合わせて求め、求めた世帯レコード数を、地理的座標範囲の大きさで除算して、その地理的座標範囲の世帯密度を求める。
【００５７】
そして、各地理的座標範囲について求めた分布図作成の対象の値に応じて、各地理的座標範囲に対応するアイコン表示地図画像上の各区域の表示色を決定し、決定した表示色でアイコン表示地図画像上の各区域が表示されるよう、クライアント端末１２に表示されるアイコン表示地図画像を更新する。この更新は、たとえば、合成処理部１１７に、アイコン表示地図画像上の各区域に表示色を付加する半透明のレイヤを、地図画像レイヤとアイコンレイヤの上に合成させ、合成された画像で地図表示画面上のアイコン表示地図画像を更新することにより行われる。
【００５８】
ここで、図１２は、分布図の区分けの指定として矩形メッシュが、分布図作成の対象として世帯密度が指定された場合の地図表示画面を表しており、図示するように地図が複数の矩形の領域に分割され、各区域に、その区域の世帯密度に応じた表示色（図面上ではドットパターンで表現）が付加されている。
【００５９】
さて、ここで、以上の図８から図１２のアイコン表示地図画像が表示されている状態において、地図変更ボタン８７０が操作された場合には、その時点のアイコン表示地図画像において、各ウインドウやアイコンや分布図の分布を表示色の背景となっている地図の種類のみが変更される。したがって、ユーザは、地図変更ボタン８７０を利用して地図の種類を切替ながら、多様または複合的な観点から、住民や世帯の情報の収集や把握を行うことができる。
【００６０】
以上、本発明の実施形態に係る行政業務支援システムについて説明した。
なお、以上の実施形態では、地図データベース６に格納された複数の種類の地図データのうちから、ユーザの指定に応じて一つの種類の地図データを選択し、選択した地図データが表す地図を地図表示画面に表示したが、これは、地図データベース６に格納された複数の種類の地図データのうちから、ユーザの指定等に応じて複数の種類の地図データを選択し、選択した複数の地図データが表す異なる種類の地図を合成した地図画像を地図表示画面に表示するようにしても良い。
【００６１】
【発明の効果】
以上のように、本発明によれば、住民や世帯の住所の地理的位置との関係における、住民や世帯の情報の収集や把握を支援することのできる行政業務支援システムを提供することができる。
【図面の簡単な説明】
【図１】本発明の実施形態に係る行政業務支援システムの構成を示すブロック図である。
【図２】本発明の実施形態に係る各種データベースの内容を示す図である。
【図３】本発明の実施形態に係る住民情報提供サーバの構成を示すブロック図である。
【図４】本発明の実施形態において用いるオブジェクトテーブル１１８の内容を示す図である。
【図５】本発明の実施形態に係る住民情報提供サーバの処理手順を示すフローチャートである。
【図６】本発明の実施形態において表示する地図指定受付画面を示す図である。
【図７】本発明の実施形態において表示するアイコン表示地図画像生成の手順を模式的に示した図である。
【図８】本発明の実施形態において表示する地図表示画面を示す図である。
【図９】本発明の実施形態において表示する地図表示画面を示す図である。
【図１０】本発明の実施形態において表示する地図表示画面を示す図である。
【図１１】本発明の実施形態において表示する地図表示画面を示す図である。
【図１２】本発明の実施形態において表示する地図表示画面を示す図である。
【符号の説明】
２：住民票データベース、３：世帯データベース、４：サービス管理データベース、５：住民データベースサーバ、６：地図データベース、７：地図データベースサーバ、８：プリントサーバ、９：住所座標変換テーブル、１０：住民情報提供サーバ、１１：基幹系ＬＡＮ、１２：クライアント端末、１３：ユーザ系ＬＡＮ、１１１：ＧＵＩ制御部、１１２：主制御部、１１３：プリントクライアント部、１１４：データベースクライアント部、１１５：地図描画部、１１６：アイコンオブジェクト生成部、１１７：合成処理部、１１８：オブジェクトテーブル。
【図１】
2004062248.tif 000003
【図２】
2004062248.tif 000004
【図３】
2004062248.tif 000005
【図４】
2004062248.tif 000006
【図５】
2004062248.tif 000007
【図６】
2004062248.tif 000008
【図７】
2004062248.tif 000009
【図８】
2004062248.tif 000010
【図９】
2004062248.tif 000011
【図１０】
2004062248.tif 000012
【図１１】
2004062248.tif 000013
【図１２】
2004062248.tif 000014